(57)【特許請求の範囲】
【請求項１】
リールを装着するためのリールシートが竿本体に取り付けられ、該リールシートは、リールの脚部の前後両端部のうちの一方の端部が差し込まれる差込部が上方に設けられ且つ、竿本体が貫通しているパイプ状のシート本体と、他方の端部が差し込まれる差込部が設けられ且つ、シート本体と協働して脚部を前後に挟持して固定すべく竿本体の軸方向に移動可能な可動部材とを備えている釣竿において、
パイプ状のシート本体は金属製の胴部を備え、胴部は、上下方向に貫通孔が形成されることによって、貫通孔の前後に位置して竿本体が挿通する挿通孔を有する前後の壁部と、該前後の壁部を貫通孔の左右両側で各々連結する両側壁部とから構成されてなり、一方の壁部の上方に、他方の壁部側から脚部を差し込むように、シート本体の差込部が設けられてなり、竿本体と両側壁部との間には、各々空間部が形成されてなり、貫通孔の開口部が合成樹脂からなる蓋体で閉塞されていることを特徴とする釣竿。
【発明の詳細な説明】
【０００１】
【発明の属する技術分野】
本発明はリールを釣竿に固定するためのリールシートを備えた釣竿の改良に関する。
【０００２】
【従来の技術】
一般に、釣竿には、リールを固定するためにリールシートが竿本体に装着されている。該リールシートの形態は種々あるが、特に、ルアー用の釣竿では、竿本体に外嵌される形態のいわゆるパイプシートと称されるパイプ型のリールシートが現在主流となっている。該リールシートは、竿本体に外嵌固定されるタイプで、竿本体に取付られると、竿本体がリールシートを貫通する状態となる。
【０００３】
該リールシートは、リールの脚部の前後両端部のうちの一方の端部が差し込まれる差込部が上方に設けられ且つ、竿本体が貫通するパイプ状のシート本体と、他方の端部が差し込まれる差込部が設けられ且つ、シート本体と協働して脚部を前後に挟持して固定すべく竿本体の軸方向に移動可能な可動部材とを備えている。
【０００４】
【発明が解決しようとする課題】
しかるに、従来のリールシートにあっては、パイプ状のシート本体が竿本体の外周面と軸方向の全長に亘って当接する構成なるため、魚のあたりがシート本体で竿先側に反射して釣り人に伝わりにくいという問題があった。この問題は、シート本体全体が合成樹脂で形成されることで魚のあたりの振動が吸収されることも起因していると考えられる。
【０００５】
それゆえに本発明は、上記従来の問題点に鑑みてなされ、魚のあたりがとらえやすい高感度な釣竿を提供することを課題とする。
【０００６】
【課題を解決するための手段】
本発明は、上記課題を解決すべくなされたものであり、本発明に係る釣竿は、リールを装着するためのリールシートが竿本体に取り付けられ、該リールシートは、リールの脚部の前後両端部のうちの一方の端部が差し込まれる差込部が上方に設けられ且つ、竿本体が貫通しているパイプ状のシート本体と、他方の端部が差し込まれる差込部が設けられ且つ、シート本体と協働して脚部を前後に挟持して固定すべく竿本体の軸方向に移動可能な可動部材とを備えている釣竿において、パイプ状のシート本体は金属製の胴部を備え、胴部は、上下方向に貫通孔が形成されることによって、貫通孔の前後に位置して竿本体が挿通する挿通孔を有する前後の壁部と、該前後の壁部を貫通孔の左右両側で各々連結する両側壁部とから構成されてなり、一方の壁部の上方に、他方の壁部側から脚部を差し込むように、シート本体の差込部が設けられてなり、竿本体と両側壁部との間には、各々空間部が形成されてなり、貫通孔の開口部が合成樹脂からなる蓋体で閉塞されていることを特徴とする。
【０００７】
尚、便宜上、リールが装着される側を上方とし、竿先側を前方に向けてこのリールシートを上方から見たとき（上面視）、軸方向と直交する方向を左右方向とする。
【０００８】
【発明の実施の形態】
以下、本発明に係る釣竿の一実施形態について、図面を参酌しつつ説明する。
図１に示す釣竿は、ルアー用の釣竿で、一般にベイトリールと称される同軸リールが取り付けられて使用されるものであり、リールシート１もベイトリールが装着されることを想定して構成されている。
【０００９】
該リールシート１は、全体としてパイプ状に形成された、いわゆるパイプシートと称されるタイプのものであり、竿本体２に外装着されている。即ち、竿本体２はリールシート１を軸方向の前後に貫通している。そして、リールシート１は、その後方側のグリップ３と共にハンドル部を構成し、釣竿の竿元に位置する。
【００１０】
このリールシート１の構成を説明すると、グリップ３の前方に位置し、竿本体２に外嵌固定されたパイプ状のシート本体４と、該シート本体４の前方に位置し竿本体２の軸方向に移動可能な筒状の可動部材５と、シート本体４の前端面に固着されて竿本体２に遊嵌されたパイプ状の雄ネジ部材１１と螺合することにより、竿本体２の軸方向の前後に移動可能でその後端部で前記可動部材５を後方側に押圧して移動させる固定ナット６とを備えている。
【００１１】
そして、シート本体４には、その上面にリール５０の脚部５１が設置されるリール装着面７が設けられ、該リール装着面７の後端部には、前方に向けて開口する差込部８が形成されている。また、シート本体４の後端部の下面には、指を引っかけるためのトリガー９が突設されている。
【００１２】
また、可動部材５には、その上方側に、後方に向けて開口する差込部１０が形成されており、シート本体４の差込部８と共にリール５０の脚部５１を前後に挟持する構成である。即ち、リール５０を装着する際には、脚部５１の後方側の端部をシート本体４の差込部８に差し込み、固定ナット６を締め込むことで可動部材５を後方側に押圧して移動させて、脚部５１の前方側の端部が可動部材５の差込部１０に差し込まれ、脚部５１をシート本体４と可動部材５とによって前後に挟持して固定する。
【００１３】
また、上述したように、シート本体４は、該シート本体４を貫通している竿本体２に外嵌固定されている。具体的には、竿本体２の外周面にシート本体４が接着により固定されている。該シート本体４の具体的な構成について以下より詳細に説明する。
【００１４】
まず、図３に示す如く、シート本体４は、竿本体２の外周面に当接して竿本体２を支持する前後の竿支持部１２，１２（前後の壁部）を備えている。即ち、竿支持部１２には軸方向の挿通孔が各々形成され、該挿通孔を竿本体２が挿通しており、挿通孔の内周面が竿本体２の外周面に接着されて、シート本体４が竿本体２に固定されている。
【００１５】
該両竿支持部１２，１２は、竿本体２の軸方向に所定間隔離間して設けられ、本実施形態では、シート本体４の前後両端部に設けられている。また、両竿支持部１２，１２間においては、シート本体４と竿本体２との間に所定の空間部１３が設けられている。従って、シート本体４は前後二箇所の竿支持部１２，１２で竿本体２を両端支持（軸方向の二点で支持）している。
【００１６】
尚、後方側の竿支持部１２には、上方に前記差込部８が、下方に前記トリガー９が、それぞれ一体的に形成されており、また、竿支持部１２は、トリガー９の前方側に、竿本体２の下方側略半周を支持する半支持部１４をも備えている。
【００１７】
また、パイプ状のシート本体４は、両竿支持部１２，１２と、この両竿支持部１２，１２を前後に連結する周壁部１５とを備えるが、周壁部１５は、両竿支持部１２，１２と一体的に形成され且つ、竿本体２を中心としてその左右両側に対称関係を有して位置する両側壁部１６，１６（図４参照）と、上下の蓋体１７，１８とを備えている。即ち、周壁部１５には、シート本体４の差込部８と前方側の竿支持部１２との間の位置に上下方向の上面視矩形の貫通孔１９が形成されており、該貫通孔１９の上下両開口部が各々上下の蓋体１７，１８で閉塞されて、シート本体４は全体としてパイプ状に形成されている。尚、前後の竿支持部１２，１２と左右の側壁部１６，１６とにより、その内側に上面視矩形の貫通孔１９が形成される。
【００１８】
また、図４の如く、該周壁部１５の内面と竿本体２の外周面との間に前記空間部１３が形成されることで、竿本体２が両竿支持部１２，１２で両端支持される。従って、竿本体２の軸線を横断する前記貫通孔１９は、その左右方向の幅Ｗが竿本体２の直径Ｄよりも幅広であり、且つ、竿本体２の軸線を中心として左右均等に形成されている。
【００１９】
尚、シート本体４は、両竿支持部１２，１２、両側壁部１６，１６、トリガー９及び差込部８が一体的に形成されて構成された胴部と、前記両蓋体１７，１８とから構成され、胴部はアルミニウム（アルミニウム合金含む）等の金属から形成され、両蓋体１７，１８は胴部とは別体に形成されて胴部に固着されている。そして、貫通孔１９は、冷間鍛造によって胴部の主形状を形成する際に形成されたものである。また、図１及び図４の如く、両側壁部１６，１６と後方側の竿支持部１２には、左右方向に貫通した丸孔２０が軸方向に沿って所定間隔毎に複数形成されているが、これは冷間鍛造後に切削により形成されたものである。但し、シート本体４の製法については特に限定するものではない。
【００２０】
一方、両蓋体１７，１８は共にＡＢＳ等の合成樹脂から形成されている。そして、貫通孔１９の上側開口部と下側開口部とが両蓋体１７，１８で閉塞されることにより、両開口部からの竿本体２の露出が防止されている。また、図３のように上側開口部の蓋体１８の上面は、差込部８の下面と前方側の竿支持部１２の上面と共にリール装着面７を構成する。尚、下側開口部の蓋体１７の外面は、吹き付け塗装により滑り止め処理されている。
【００２１】
以上の構成からなる釣竿には、図３に二点破線にて示すようにリール５０をその脚部５１をリール装着面７に設置するようにして装着する。その際、リールの前方側をやや上方に（手前に）傾けて、脚部５１の後方側の端部をシート本体４の差込部８に差し込むことになる。しかしながら、貫通孔１９の上側開口部が蓋体１８で閉塞されているので、上側開口部から金属製の脚部５１の端部が侵入して竿本体２に接触することによって生じる竿本体２の傷つきが確実に防止される。
【００２２】
特に、朝夕のまずめ時や夜釣り等のように辺りが暗い時には、リール装着面７に竿本体２が露出していると脚部５０を竿本体２に強く当てるおそれがあるが、上述のように蓋体１８で覆うことでそのおそれがなくなり、暗闇における手探り状態でも安心してリール５０を装着することができる。また、蓋体１８の上面と差込部８の下面とを略面一とすることによって、差込部８に差し込む際にも脚部５０が引っかかることなくより一層スムーズに差し込むことができる。
尚、シート本体４の差込部８が、シート本体４の中でも強度のある後方側の竿支持部１２の上方に設けられ、しかも、竿支持部１２と一体的に形成されてなるので、繰り返し使用や乱暴な使用によっても差込部８の破損が防止される。
【００２３】
一方、下側開口部の蓋体１７の箇所は、釣竿を把持する際に指が当接することの多い箇所であるが、金属製の胴部とは異なり蓋体１８が合成樹脂からなるので、触れたときに金属ほど冷たくなく、特に冬場にメリットが大きいものである。無論、この下側開口部の蓋体１８によって竿本体２の下面側も保護される利点もある。
【００２４】
更に、両側壁部１６，１６と竿本体２との間には空間部１３が形成されてシート本体４は前後二箇所の竿支持部１２，１２で竿本体２を両端支持する構成で、両竿支持部１２，１２間において竿本体２が拘束されない結果、竿本体２をシート本体４の全長で支持する従来のものに比して竿本体２の撓みが自然となり、シート本体４の直前の箇所の境界部における竿本体２の応力集中が緩和され、その場所での破損が防止されて、釣竿の曲げ強度を従来に比して向上することができる。
【００２５】
しかも、胴部を構成する両竿支持部１２，１２が金属製であるためしっかりと竿本体２を支持することができ、しかも両側壁部１６，１６も金属製なるため、リール５０と竿本体２との一体感が得られ、差込部８が後方側の竿支持部１２と一体的に形成されていることとも相まって、リール５０のガタツキやキシミ等が抑制される。
【００２６】
また、胴部が金属製、特に振動伝達特性に優れるアルミニウム製（アルミニウム合金製を含む）なるため、竿本体２から伝わる魚のあたりが合成樹脂以上にとりやすく、高感度の釣竿にでき、極めて微妙なあたりも確実にとらえることができるという利点がある。しかも、空間部１３を形成したことによって両側壁部１６，１６を肉薄にでき、肉薄にしてもアルミニウム製ゆえに十分な強度を確保できる。また、肉薄にすることでより一層高感度にでき、且つ、剛性が高くなりすぎないので魚のあたりがシート本体４で反射することも少ない。
【００２７】
その一方、上下方向に貫通した竿本体２よりも幅広の貫通孔１９を設けることにより、シート本体全体を合成樹脂から形成したものに対する重量増加を抑制することができる。しかも、貫通孔１９であるので、冷間鍛造という低コストな製法を適応できるうえに、両竿支持部１２，１２のみが竿本体２と当接して周壁部１５の内面は竿本体２と離間させるという両端支持構成を、この竿本体２より幅広の貫通孔１９を設けることで容易に実現することができる。
尚、重量増加の抑制については、両蓋体１７，１８を合成樹脂としたこと、及び、両側壁部１６，１６と後方側の竿支持部１２に左右方向に貫通する丸孔２０を複数設けたことも寄与している。
【００２８】
尚、本実施形態のような両軸リールに対応したタイプのみならず、図５のようなスピニングリールに対応したリールシート１、釣竿であっても同様に効果があり、更に、ルアー用の釣竿に限られずに他の種々の釣竿にも無論適応可能である。また、シート本体４が脚部５０の前方側の端部を差し込む差込部を有する場合等、リールシート１の構成も適宜設計変更可能である。
【００２９】
また、上述では、挿通孔を有する前後の壁部を、竿本体２に当接して支持する両竿支持部１２，１２として構成するとともに、雄ネジ部材１１が遊嵌されていたが、図６のように雄ネジ部材１１を竿本体２に外嵌固定して、前後の壁部１２，１２を竿本体２に当接させずに遊嵌する構成としてもよい。即ち、胴部が竿本体２に直接固定されるのではなく、竿本体２に固定された他の部材を介して間接的に竿本体２に固定される構成としてもよく、シート本体４が竿本体２に対して相対移動不能であればよい。
【００３０】
【発明の効果】
以上のように、空間部によって両側壁部を肉薄に形成し且つ胴部を金属製としたことにより、魚のあたりが容易にとらえることができる高感度の釣竿となる。
【図面の簡単な説明】
【図１】本発明の一実施形態における釣竿の要部を示す側面図。
【図２】同釣竿の要部を示し、（イ）は平面図、（ロ）は底面図。
【図３】図２（イ）のＡ−Ａ断面図。
【図４】図３及び図６のＢ−Ｂ断面図。
【図５】他実施形態における釣竿の要部断面図。
【図６】他実施形態における釣竿の要部断面図。
【符号の説明】
１…リールシート、２…竿本体、４…シート本体、５…可動部材、８，１０…差込部、１２…竿支持部（壁部）、１３…空間部、１５…周壁部、１７，１８…蓋体、１９…貫通孔
【図１】
0004275275.tif 000002
【図２】
0004275275.tif 000003
【図３】
0004275275.tif 000004
【図４】
0004275275.tif 000005
【図５】
0004275275.tif 000006
【図６】
0004275275.tif 000007